(57)【要約】【課題】  小型・低コストで、血圧を測定する前である事前密着時に手首部に対する締付力が一定となる手首用血圧計の締付構造を提供する。【解決手段】  被測定者の手首や腕に装着されて被測定者の血流を圧迫するカフ帯と、カフ帯に取り付けられて被測定者の血圧を測定する血圧測定部と、測定された血圧値を表示する血圧表示部と、を備える手首用血圧計の締付構造において、カフ帯は、膨張により手首部の血流を圧迫する空気袋帯と、空気袋帯とを膨張させ血流を圧迫する前に前記空気袋帯を事前密着させるための締付帯と、前記締付帯により事前密着させられた後に空気袋帯および締付帯の外周を包囲して空気袋帯の膨張による血流圧迫力を外部に逃がさないための締結帯と、を有してなり、前記締付帯は締付帯の全体又は一部がバネ状の形状記憶合金により構成されて、形状記憶合金の加熱による変形によって、前記締付帯が被測定者の手首に密着される。【選択図】図１
2006204401.tif 000002
【特許請求の範囲】
【請求項１】
被測定者の手首部に装着されて被測定者の血流を圧迫するカフ帯と、カフ帯に取り付けられて被測定者の血圧を測定する血圧測定部と、測定された血圧値を表示する血圧表示部と、を備える手首用血圧計の締付構造において、
カフ帯は、膨張により手首部の血流を圧迫する空気袋帯と、前記空気袋帯を膨張させ血流を圧迫する前に前記空気袋帯を事前密着させるための締付帯と、前記締付帯により事前密着させられた後に空気袋帯および締付帯の外周を包囲して空気袋帯の膨張による血流圧迫力を外部に逃がさないための締結帯と、を有してなり、
前記締付帯は締付帯の全体又は一部がバネ状の形状記憶合金により構成されて、形状記憶合金の加熱による変形によって、前記締付帯が被測定者の手首部に密着されることを特徴とする手首用血圧計の締付構造。
【請求項２】
形状記憶合金に電流を通電することにより形状記憶合金を加熱することを特徴とする請求項１記載の手首用血圧計の締付構造。
【請求項３】
締付帯の表面に複数の係合部を有してなり、血圧測定部、血圧表示部、またはカフ帯に被係合部を有してなり、係合部と被係合部とを係合させて締付帯を係止させることによりカフ帯を測定者の手首に仮止めをした後に、形状記憶合金を加熱して変形させることによって事前密着させることを特徴とする請求項１又は請求項２に記載の手首用血圧計の締付構造。
【請求項４】
被測定者の血圧をセンシングする圧力計からの信号により、空気袋帯の被測定者の手首への事前密着時の密着力を制御することを特徴とする請求項１乃至請求項３のいずれかに記載の手首用血圧計の締付構造。
【請求項５】
締付帯が形状記憶合金の変形にあわせて伸縮可能な構造であることを特徴とする請求項１乃至請求項４のいずれかに記載の手首用血圧計の締付構造。
【請求項６】
カフ帯を構成する空気袋帯もしくは締結帯の一部又は全部が、締付帯の該当部分と一体化したものであることを特徴とする請求項１乃至請求項５のいずれかに記載の手首用血圧計の締付構造。
【発明の詳細な説明】
【技術分野】
【０００１】
本発明は、手首部に巻き付けられるカフ帯に、血圧測定部と血圧表示部とが一体的に取り付けられている手首用血圧計の締付構造に関するものである。
【背景技術】
【０００２】
従来より、実開平１０−１２７５８８号公報や実開平６−１１４０１５号公報に、手首部に巻き付けられるカフ帯（圧迫帯）に、血圧測定部と血圧表示部とからなる血圧計本体が一体的に取り付けられている手首用血圧計の構造が開示されている。この種の手首用血圧計では、まず、空気袋帯により手首等の血流を圧迫する前に、カフ帯を手首等に事前密着する（手首を圧迫することなく密着する）ことが必要となる。この後に、カフ帯を膨張させて手首に圧力を加えることにより、血圧を測定している。
【０００３】
ここで、事前密着するために、実開平１０−１２７５８８号公報では、剛性のある帯に血圧計本体を取り付ける構造となっている。この構造だと、カフ帯を折りたたむことができないために、収納が不便となり、小型化ができないという問題があった。また、実開平６−１１４０１５号公報では、フレキシブルな帯に血圧計本体を取り付ける構造となっている。この構造だと、測定者がこの帯を自分の手首等に取り付けるために、締付時の状態が一定とならなかった。このために、初期の締付力にばらつきが生じて、血圧の測定値に誤差を生じるおそれがあった。また、特開２００２―４８０５３には、空気袋帯の代わりに形状記憶合金を用いて、計測者の手首を圧迫する構造が開示されている。しかし、この構造では、形状記憶合金の線材をメッシュ状に形成したものを用いている。このために、高価な形状記憶合金を多量に用いることになり、コストアップになるおそれがあった。
【特許文献１】実開平１０−１２７５８８号公報
【特許文献２】実開平６−１１４０１５号公報
【特許文献３】特開２００２−４８０５３号公報
【発明の開示】
【発明が解決しようとする課題】
【０００４】
本発明は、上記の課題に鑑みなされたものであって、その目的とするところは、小型・低コストで、初期の締付力が一定となる手首用血圧計の締付構造を提供することにある。
【課題を解決するための手段】
【０００５】
上記課題を解決するために、本発明の手首用血圧計の締付構造は、被測定者の手首部に装着されて被測定者の血流を圧迫するカフ帯と、カフ帯に取り付けられて被測定者の血圧を測定する血圧測定部と、測定された血圧値を表示する血圧表示部と、を備える手首用血圧計の締付構造において、カフ帯は、膨張により手首部の血流を圧迫する空気袋帯と、空気袋帯とを膨張させ血流を圧迫する前に前記空気袋帯を事前密着させるための締付帯と、前記締付帯により事前密着させられた後に空気袋帯および締付帯の外周を包囲して空気袋帯の膨張による血流圧迫力を外部に逃がさないための締結帯と、を有してなり、前記締付帯は締付帯の全体又は一部がバネ状の形状記憶合金により構成されて、形状記憶合金の加熱による変形によって、前記締付帯が被測定者の手首に密着されることを特徴としている。
【発明の効果】
【０００６】
本発明の手首用血圧計の締付構造にあっては、形状記憶合金の加熱による変形によって、締付帯が被測定者の手首部に密着されるので、初期の締付力が一定とすることができる。また、締付帯がバネ状の形状記憶合金により構成されているので、カフ帯を薄型にすることができ、小型化することができる。さらに、締付帯のみがバネ状の形状記憶合金により構成されているので、高価な形状記憶の使用量を低減できて、低コスト化が可能となる。
【発明を実施するための最良の形態】
【０００７】
（実施形態１）
実施形態１の手首用血圧計の締付構造の構成を図１〜３に基づいて説明する。この手首用血圧計２は、図１〜３に示すように、血圧計本体とカフ帯とからなっている。血圧計本体は、カフ帯からの信号を受けて、血圧値を得るために演算処理をする血圧測定部２と、これを表示する血圧表示部３とを備えている。また、カフ帯は、被計測者の手首部１に装着するためのものであり、空気袋帯４、締付帯５及び締結帯６、７とからなっている。
【０００８】
空気袋帯４は、袋を備えていて、この袋の内部に空気が圧送されて膨張することにより手首部１の血流を圧迫した後に、徐々に空気が抜かれて、最高血圧と最低血圧とが測定されることになる。このために、空気袋帯４は、カフ帯の中では内側に取り付けられている。
【０００９】
また、締付帯５は、空気袋帯４を事前密着させるためのもので、環状の構造をしている。ここで、事前密着とは、血圧測定のために空気袋帯４が血流を圧迫する前に、圧迫することなく手首部１に密着することをいう。つまり、事前密着状態では、カフ帯は、手首部１に密着してはいるが、圧迫していない状態となっている。この状態にばらつきがあると、被測定者の血圧値が正確に測定されなくなることがある。このために、図３に示すように、締付帯５の内部には、形状記憶合金（例えば、ＴｉＮｉ合金）のバネ８が具備されている（なお、図３では、締付帯５に内包されているバネ８のみを図示し、空気袋帯４、締結帯６、７は、図示していない。）。この形状記憶合金のバネ８は、室温では収縮した形状となり、高温（例えば、６０℃以上）では伸張した形状となるようにセッティングされている。このバネ８の両端には、電極９、９が取り付けられていて、血圧測定部２に内蔵されている電源１０から電流が通電されて、自己発熱するようになっている。また、バネ８の近傍には、温度センサ（例えば、サーミスタやダイオード）１１が取り付けられていて、バネ８の温度を測定して、通電電流を制御できるようになっている。この締付帯５は、カフ帯の中では、空気袋帯４の外側に取り付けられている。
【００１０】
また、締結帯６、７は、左右一対の帯状のものであり、事前密着した後に、空気袋帯４および締付帯５の外周を包囲して空気袋帯４の膨張による血流圧迫力を外部に逃がさないためためのものである。このために、内側面には、面ファスナー１２が取り付けられていて、カフ帯を外側から、固定できる構造になっている。締結帯６、７は、カフ帯の中では、最外側に取り付けられている。
【００１１】
以下に、この手首用血圧計を手首部１に締め付けて、血圧を計測する手順について説明する。まず、被測定者は、形状記憶合金のバネ８が低温で伸張している状態で、締付帯５を手首部１にカフ帯をはめ込む。そして、血圧測定部２の締付スイッチ１５をＯＮして、形状記憶合金のバネ８に電極９、９を通じて、電源１０から電流を通電させて、バネ８を加熱させる。こうすることにより、形状記憶合金の温度を上昇させることにより、熱弾性マルテンサイト変態を誘起させて、バネ８を収縮させた形状とさせる。こうすることにより、締付帯５が手首部１に、事前密着するようになる。このとき、前述したように、バネ８の近傍に取り付けられている温度センサ１１が、バネ８の温度を検知して、形状記憶合金が形状所定の温度以上にならないように制御している。例えば、温度センサ１１からの電気信号によって、バネ８に通電する電流をPWM（Pulse Width Modulation：パルス幅制御）することにより、形状記憶合金が所定温度以上となる場合には、電流の実効値を小さくする制御をしている。このため、形状記憶合金は、高温となって熱弾性マルテンサイト変態をしても、その収縮量が所定値となるように制御される。この結果として、締付帯５は、手首部１に密着するものの押圧しない事前密着の状態に保持される。この事前密着の状態では、形状記憶合金の加熱到達温度を一定となるように制御されているので、事前密着の状態も一定となり、手首部１への密着度合を一定とすることができる。
【００１２】
この後、被測定者は、左側の締結帯６の面ファスナー１２を右側の締結帯７の表面に密着させることで、締結帯６、７を締付帯５の外側に装着させる。さらに、血圧測定部２の測定スイッチ１６をＯＮさせると、空気袋帯４に内蔵されている袋に空気が圧送されて、血流を圧迫することによって血圧が測定される。そして、血圧の測定後には、空気が抜かれた状態となり、測定者は、面ファスナー１２を外すことにより、締結帯６、７を分離する。さらに、外力を加えることにより、形状記憶合金のバネ８を伸張させて締付帯５の径を広げて、手首用血圧計を手首部１から取り外す。
【００１３】
本実施形態の手首用血圧計の締付構造では、形状記憶合金の加熱による変形によって、締付帯が被測定者の手首に密着されるので、初期の締付力を一定とすることができる。このため、締付帯がバネ状の形状記憶合金により構成されているので、カフ帯を薄型にすることができ、小型化することができる。また、締付帯のみ形状記憶合金のバネにより構成されているので、高価な形状記憶合金の使用量を低減できて、低コスト化することが可能となる。
【００１４】
さらに、形状記憶合金に電流を通電することにより加熱するので、ヒーター等の別途の加熱装置が不要となり、締付帯の構造を簡略化でき、低価格および小型化を実現することができる。
【００１５】
加えて、締付帯の近傍に温度センサを有してなり、締付帯が被測定者の手首への事前密着時の密着力を前記温度センサから信号により制御するので、被測定者の手首への事前密着の状態を一定にすることができ、血圧の測定精度を向上することができる。
【００１６】
ここで、本実施形態の他の手首用血圧計の締付構造の構成として、血圧をセンシングするため血圧測定部に備えられている圧力計からの信号により、空気袋帯の被測定者の手首部への事前密着時の密着力を制御するものがあげられる。こうすることにより、空気袋帯の被測定者の手首部への事前密着時の密着力を一定とすることが可能となり、血圧の測定精度をさらに向上させることができる。
【００１７】
さらに、本実施形態の別の他の手首用血圧計の締付構造の構成として、形状記憶合金を内蔵する締付帯を形状記憶合金の変形にあわせて伸縮可能な構造とすることができる。この締付帯の具体的な素材としては、メッシュやニットのような編目構造を有するもの、ゴムやエラストマー等のような弾性体、あるいはベローズのような機械的に伸縮可能なものがあげられる。こうすることにより、締付帯が前記形状記憶合金の変形にあわせて伸縮可能となるので、締付帯の外側の表面がしわにならなくなる。このために、外観の見栄えが良くなるとともに、血圧の測定時の加圧状態を一定にすることが可能となる。
【００１８】
（実施形態２）
実施形態２の手首用血圧計の締付構造の構成を図４、５に基づいて説明する。この手首用血圧計の締付構造の構成は、実施形態１のものとほぼ同じであるが、以下の点で構成が異なる。まず、図４、５に示すように、形状記憶合金のバネ８を内蔵している締付帯５の血圧測定部２の付近の表面に係合部である凸状の複数の第１フック１３が具備されている（なお、本実施形態においても、手首用血圧計の締付構造には空気袋帯４、締結帯６、７が含まれているが、図４、５ではこれらは図示していない。）。また、血圧測定部２に、被係合部である第２フック１４が具備されている。そして、第２フック１４は、第１フック１３と係合して締付帯５を係止して、カフ帯を被測定者の手首部１に仮止めする機能を有している。一方で、この第１フック１３と第２フック１４との係止の力は弱いものであるので、外力を加えることにより、第２フック１４と第１フック１３との係合は解放されることになる。
【００１９】
この手首用血圧計を締め付けて血圧を計測する手順も、実施形態１のものとほぼ同じである。ただし、締付帯５を事前密着する手順と、血圧測定後に締付帯５を取り外す手順は異なるので、この点について以下に説明する。まず、被測定者は、形状記憶合金のバネ８が低温で伸張している状態で、締付帯５を手首部１の外側にカフ帯をはめ込んで、締付スイッチ１５をＯＮし、バネ８を加熱させる。ここで、形状記憶合金が高温となって熱弾性マルテンサイト変態によりバネ８の形状が収縮して、手首部１に事前密着するときに、第１フック１３は、第２フック１４を乗り越えながら、締付帯５全体として収縮していく。そして、形状記憶合金８が所定の温度になり、所定の長さに収縮した後に、バネ８への通電を停止させる。この状態で、形状記憶合金の形状記憶合金の温度が低下しても、第１フック１３は第２フック１４によって引っ掛かって係止されるので、外力が加わることがない限り、締付帯５が伸張することはない。したがって、形状記憶合金への通電をしなくても、事前密着状態が変動するおそれはない。一方、血圧の測定が終了して、締付帯５を手首から取り外す際には、第１フック１３と第２フック１４との係止の力は強くないので、外力を加えることによって、容易に係止を解放することができる。つまり、実施形態１とほぼ同様の外力を加えることによって、締付帯５の径を広げて、取り外すことが可能となる。
【００２０】
本実施形態の手首用血圧計の締付構造では、締付帯の表面に複数の係合部を有してなり、血圧測定部、血圧表示部、またはカフ帯の表面に被係合部を有してなり、係合部と被係合部とを係合させて前記締付帯を係止させることによりカフ帯を被測定者の手首部に仮止めをした後に、形状記憶合金を加熱して変形させることによって事前密着させることを特徴としているので、形状記憶合金を加熱して一度収縮した後には、加熱を維持することが不要となる。このために、加熱のためのエネルギー（電力）を少なくすることができる。
【００２１】
（実施形態３）
実施形態３の手首用血圧計の締付構造の構成を図６、７に基づいて説明する。この手首用血圧計の締付構造の構成は、実施形態１のものとほぼ同様であるが、図６、７に示すように、カフ帯を構成する締結帯の一部が、締付帯５の該当部分と一体化したものであることが異なっている。つまり、締結帯単独としては、面ファスナー１２を備える左側の一部分６’のみが具備されていて、他の締結帯の部分は、締付帯５がこれを兼ねる構造となっている。したがって、本実施形態の手首用血圧計の締付構造の構成では、締付帯５の一部が実施形態１での締結帯の機能を有している。
【００２２】
この手首用血圧計を締め付けて血圧を計測する手順も、実施形態１のものとほぼ同じであるので、ここでは説明を省略する。また、締結帯ではなく、空気袋帯の一部又は全体を、締付帯の該当部分と一体化することもできる。
【００２３】
本実施形態の手首用血圧計の締付構造では、カフ帯を構成する空気袋帯もしくは締結帯の一部又は全部が、締付帯の該当部分と一体化したものであるので、空気袋帯および締結帯とを一体化することができ、部品点数を低減して構造を簡易化することが可能となる。
【図面の簡単な説明】
【００２４】
【図１】実施形態１の手首用血圧計の斜視図で、（ａ）は形状記憶合金が伸張している斜視図で、（ｂ）は形状記憶合金が収縮している斜視図である。
【図２】実施形態１の手首用血圧計の断面図で、（ａ）は形状記憶合金が伸張している断面図で、（ｂ）は形状記憶合金が収縮している断面図である。
【図３】実施形態１の手首用血圧計の形状記憶合金を示す断面図で、（ａ）は形状記憶合金が伸張している断面図で、（ｂ）は形状記憶合金が収縮している断面図である。
【図４】実施形態２の手首用血圧計の斜視図で、（ａ）は形状記憶合金が伸張している斜視図で、（ｂ）は形状記憶合金が収縮している斜視図である。
【図５】実施形態２の手首用血圧計の断面図で、（ａ）は形状記憶合金が伸張している断面図で、（ｂ）は形状記憶合金が収縮している断面図である。
【図６】実施形態３の手首用血圧計の斜視図で、（ａ）は形状記憶合金が伸張している斜視図で、（ｂ）は形状記憶合金が収縮している斜視図である。
【図７】実施形態３の手首用血圧計の断面図で、（ａ）は形状記憶合金が伸張している断面図で、（ｂ）は形状記憶合金が収縮している断面図である。
【符号の説明】
【００２５】
１      手首部
２      血圧測定部
３      血圧表示部
４      空気袋帯
５      締付帯
６、６’締結帯（左側）
７      締結帯（右側）
８      バネ（形状記憶合金）
９      電極
１０    電源
１１    温度センサ
１２    面ファスナー
１３    第１フック
１４    第２フック
１５    締付スイッチ
１６    測定ステッチ
【図１】
2006204401.tif 000003
【図２】
2006204401.tif 000004
【図３】
2006204401.tif 000005
【図４】
2006204401.tif 000006
【図５】
2006204401.tif 000007
【図６】
2006204401.tif 000008
【図７】
2006204401.tif 000009